(57)【要約】【課題】  表示品質を向上する。【解決手段】  バックライトアセンブリは、駆動信号に応答して光を発生するランプユニット２１０、駆動信号をランプユニットに伝達する配線及び光学シート類で構成され、表示パネル１１０の後面に設けられて光を発生する。収納部材２９０は、底面と底面から延びた側壁によって定義された収納空間に、バックライトアセンブリ２００と表示パネル１１０と光学シート類とを収納する。収納部材の底面にはホールが形成され、ランプから発生した熱を放出する。また、収納部材の底面に収納された反射シート２４５には、遮光部材が付着され、収納部材の背面に光が漏洩することを防止する。【選択図】    図１
2006146119.tif 000002
【特許請求の範囲】
【請求項１】
画像を表示する表示パネルと、
光源と、前記光源上部に具備される光学シートと、前記光源下部に具備される反射シートと、を含むバックライトアセンブリと、
開口部が形成された底面と前記底面から延びた側壁とによって定義された収納空間に、前記表示パネル及びバックライトアセンブリを収納する収納容器と、
前記反射シートの背面に配置された光遮断部材と、
を含むことを特徴とする表示装置。
【請求項２】
前記光遮断部材は、前記開口部に対応する領域に配置されることを特徴とする、請求項１に記載の表示装置。
【請求項３】
前記光遮断部材は、前記開口部より大きいことを特徴とする、請求項２に記載の表示装置。
【請求項４】
前記光遮断部材の厚さは、２５ｕｍ〜１８８ｕｍであることを特徴とする、請求項２に記載の表示装置。
【請求項５】
前記光遮断部材は、炭素を含むポリエステル材質のフィルムであることを特徴とする、請求項２に記載の表示装置。
【請求項６】
前記光遮断部材の一面には接着層が形成されていることを特徴とする、請求項５に記載の表示装置。
【請求項７】
前記光遮断部材は、ＰＥＴ材質からなることを特徴とする、請求項２に記載の表示装置。
【請求項８】
前記光遮断部材の一面には接着層が形成されていることを特徴とする、請求項７に記載の表示装置。
【請求項９】
前記光源は、ランプであることを特徴とする、請求項２に記載の表示装置。
【請求項１０】
前記ランプは複数であり、
前記バックライトアセンブリは、前記表示パネルの下部に配置された直下型バックライトアセンブリであることを特徴とする、請求項９に記載の表示装置。
【請求項１１】
前記バックライトアセンブリは、前記ランプから発生した光をガイドする導光板を更に含むことを特徴とする、請求項９に記載の表示装置。
【請求項１２】
前記ランプは、Ｕ字形態であることを特徴とする、請求項９記載の表示装置。
【請求項１３】
前記光源は、ＬＥＤであることを特徴とする、請求項２に記載の表示装置。
【請求項１４】
前記光源に駆動信号を印加するインバータを更に含むことを特徴とする、請求項２に記載の表示装置。
【請求項１５】
前記インバータは、前記開口部に対応する領域に配置されていることを特徴とする、請求項１４に記載の表示装置。
【請求項１６】
前記収納容器の背面には、前記インバータと結合する突出した結合部が形成されていることを特徴とする、請求項１４に記載の表示装置。
【請求項１７】
前記結合部の上部面には、前記インバータとねじ締結をするためのホールが形成されていることを特徴とする、請求項１６に記載の表示装置。
【請求項１８】
前記突出部の上部面には、前記インバータをガイドする突出部が更に含まれていることを特徴とする、請求項１７に記載の表示装置。
【発明の詳細な説明】
【技術分野】
【０００１】
本発明は表示装置に係わり、より詳細には表示品質を向上させることができる表示装置に関する。
【背景技術】
【０００２】
液晶表示装置は、画像を表示する液晶表示パネル及び前記液晶表示パネルの後面に具備され、前記液晶表示パネルに光を提供するバックライトアセンブリを含む。
前記バックライトアセンブリは、ランプ駆動信号に応答して光を発生するランプユニット、前記ランプユニットの下部に配置され、前記ランプユニットから発生する光を前記液晶表示パネルの方向に反射する反射シート及び前記ランプユニットの上部に配置される光学シート類を含む。
【０００３】
前記液晶表示パネルとバックライトアセンブリは収納容器に収納される。
【発明の開示】
【発明が解決しようとする課題】
【０００４】
最近、液晶表示装置のサイズが大型化されることによって複数のランプを平行にボトムシャーシの底面に配置する直下型バックライトアセンブリを適用しているが、前記複数のランプから発生する熱によって前記液晶表示パネルに内在された液晶を劣化するだけでなく、液晶表示装置の各種部品を変形させる。これによって、液晶表示装置の表示品質が低下する問題点がある。
【０００５】
また、前記ランプを導光板の側面に配置するエッジ型バックライトアセンブリを適用した液晶表示装置にも、前記ランプを収納する外郭の大きさが小さくなる趨勢によって前記ランプから発生される熱によって液晶表示装置の表示品質が低下する問題点がある。
【０００６】
本発明はこのような従来の問題点を解決するために、ランプから発生した熱によって表示品質が低下することを防止し、優れた表示特性を有する表示装置を提供することにある。
【課題を解決するための手段】
【０００７】
前記した本発明の目的を実現するための一特徴による表示装置は、表示パネル、バックライトアセンブリ、収納容器及び光遮断部材を含む。前記表示パネルは画像を表示する。前記バックライトアセンブリは、光源と、前記光源の上部に具備される光学シートと、前記光源下部に具備される反射シートを含む。前記収納容器は開口部が形成された底面と前記底面から延びられた側壁によって定義された収納空間に前記表示パネル及びバックライトアセンブリを収納する。
【０００８】
収納容器の底面に熱放出のための開口部を形成することで、ランプから発生された熱が液晶表示パネルに及ぼす悪影響を減らして表示品質が低下することを防止することができる。
【０００９】
前記光遮断部材は前記反射シートの背面に配置される。前記開口部に対応する反射シートの背面領域に光遮断部材を付着することで、光がバックライトアセンブリの外部に漏洩することを防止することができる。
【００１０】
前記光遮断部材は、カーボンを含むポリエステルフィルムやＰＥＴ材質で形成されていると、光学密度が高くて光がほぼ透過できないので好ましい。また、前記光遮断部材の一面には接着剤が形成されており、反射シートの均一性のために厚さが２５μｍ〜１８８μｍであることが望ましい。さらに、前記光遮断部材の大きさは、収納容器に形成された開口部よりある程度大きく形成することが、確実に光を遮断する上で望ましい。
【００１１】
前記バックライトアセンブリは、駆動信号に応答して光を発生するランプユニット、前記ランプユニットの上部に具備される拡散シート及びプリズムシートなどのような光学シート、前記駆動信号を前記ランプユニットに伝達するランプワイヤー及び前記光の入力を受けて前記表示パネルの方向にガイドする導光板及び導光板から漏洩した光を反射する反射シートで構成される。複数のランプが表示パネルの下部に平行に配置される直下型表示装置において前記導光板は省略することができる。
【００１２】
前記表示装置において、前記光源はランプやＬＥＤであってもよい。前記ランプは複数であり、前記バックライトアセンブリは、前記表示パネルの下部に配置された直下型バックライトアセンブリであることもできる。また、前記ランプは、Ｕ字形態であってもよい。
【００１３】
前記表示装置は、前記光源に駆動信号を印加するインバータを更に含むことができる。前記インバータは、前記開口部に対応する領域に配置されているとよい。
前記収納容器と光源を駆動するインバータとの間にギャップが形成されると、流速の増加による自然滞留によってバックライトアセンブリの内部の熱が更に早く放出される。従って、インバータに対応する収納容器の底面領域に開口部を形成することが好ましい。
【００１４】
前記収納容器の背面には、前記インバータと結合する突出した結合部が形成されていることが好ましい。また、前記結合部の上部面には、前記インバータとねじ締結をするためのホールが形成されているとよい。さらに、前記突出部の上部面には、前記インバータをガイドする突出部が更に含まれていることが好ましい。
このような表示装置によると、収納容器の背面に熱放出のための開口部を形成するので、ランプから発生した熱が液晶表示パネルに及ぼす悪影響を減らして表示品質が低下することを防止することができる。
【発明を実施するための最良の形態】
【００１５】
以下、添付した図面を参照して、本発明の望ましい実施例をより詳細に説明する。
［全体構成］
図１は、本発明の一実施例による表示装置を示した分解斜視図である。
【００１６】
図１を参照すると、本発明の一実施例による表示装置は光を用いて画像を表示するディスプレイユニット１００、前記ディスプレイユニット１００の後面に配置されて前記ディスプレイユニット１００に前記光を提供するバックライトアセンブリ２００、前記ディスプレイユニット１００及びバックライトアセンブリ２００を収納する収納容器２９０を含む。
【００１７】
前記ディスプレイユニット１００は、画像を表示する表示パネル１１０、前記表示パネル１１０を駆動するためのゲート側印刷回路基板１２０及びデータ側印刷回路基板１３０で構成される。前記表示パネル１１０は、第１基板（図示せず）、前記第１基板と向い合う第２基板（図示せず）及び前記第１基板と第２基板との間に介在された液晶層（図示せず）を含む。
【００１８】
前記第１基板は、スイッチング素子である薄膜トランジスタ（ＴＦＴ）がマトリクス形態で形成されている透明なガラス基板である。前記薄膜トランジスタのソース端子にはデータラインが連結され、ゲート端子にはゲートラインが連結される。また、前記薄膜トランジスタのドレイン端子には、透明な導電性材質からなる画素電極が連結される。
【００１９】
前記第２基板は、前記第１基板に一定間隔に離隔され、対向配置されたカラーフィルタ基板である。前記カラーフィルタ基板は、光が通過することによって所定の色に発現される色画素であるＲＧＢ画素が、薄膜工程によって形成された基板である。前記第１基板の前面には、ＩＴＯからなる共通電極が形成される。
【００２０】
このような構成を有する液晶表示パネル１１０は、前記薄膜トランジスタのゲート端子及びソース端子に電源が印加され、ＴＦＴがターンオンされると、画素電極と共通電極との間には電界が形成される。このような電界によってＴＦＴ基板（図示せず）とカラーフィルタ基板（図示せず）との間に注入された液晶の配列角が変化し、変化した配列角によって光透過度が変更され、希望する階調の画像を得ることができる。
【００２１】
前記バックライトアセンブリ２００は、以下の構成要素（ａ）〜（ｄ）を有している。
（ａ）光を発生するための複数のランプ２１１で構成されたランプユニット２１０、
（ｂ）前記ランプ２１１を固定するためのランプホルダ２２０、
（ｃ）前記ランプユニット２１０の光を拡散するための拡散板２４０、
（ｄ）前記拡散板２４０の上部に具備され、光の輝度均一性又は視野角を向上させるための光学シート類２４３。
【００２２】
前記ランプユニット２１０は、並列に配置された棒形状のランプ２１１であることを示したが、Ｕ字形状のランプを用いることもできる。また、前記ランプ２１１としては、ランプ電極が内部に具備されたＣＣＦＬ（Ｃｏｌｄ  ｃａｔｈｏｄｅ  ｆｌｕｏｒｅｓｃｅｎｔ  Ｌａｍｐ）や、ランプ電極が外部に具備されたＥＥＦＬ（Ｅｘｔｅｒｎａｌ  Ｅｌｅｃｔｒｏｄｅ  Ｌａｍｐ）を用いることができる。また、光源として、前記ランプユニット２１０に代えて、ＬＥＤ（ｌｉｇｈｔ−ｅｍｉｔｔｉｎｇ  ｄｉｏｄｅ）を用いることができる。
【００２３】
インバータ７００は、前記ランプユニット２１０に駆動信号を印加し、普通ＰＣＢ（Ｐｒｉｎｔｅｄ  ｃｉｒｃｕｉｔ  ｂｏａｒｄ）形態に製作される。インバータ保護部材８００は、金属からなり、前記インバータ７００から発生するＥＭＩ（ｅｌｅｃｔｒｏｍａｇｎｅｔｉｃ  ｉｎｔｅｒｆｅｒｅｎｃｅ）を防止する。
【００２４】
ランプホルダ２２０は、前記ランプ２１１の電極部位を囲みながら前記収納容器２９０と結合して、前記ランプ２１１の流動を防止する。反射シート２４５及び収納容器２９０には、前記ランプホルダ２２０と結合するための結合ホール２４５１、２９１が、形成されている。
【００２５】
反射シート２４５は、前記ランプユニット２１０の下部に設けられる。反射シート２４５は、前記ランプユニット２１０から出射された光を前記表示パネル１１０の方向に反射させる。反射シート２４５上の前記ランプホルダ２２０に対応する領域には、結合ホール２４５１が形成されている。
【００２６】
ランプ固定部２３０は、互いに隣接するランプが水平方向に一定間隔を維持するように、前記ランプ２１１を固定する。また、ランプ固定部２３０は、拡散板２４０がランプユニット２１０と一定間隔を維持できるように、拡散板支持部を更に含む。前記ランプ固定部２３０は、前記反射シート２４５に形成されたホールを貫通して前記収納容器２９０と結合する。
【００２７】
一方、前記バックライトアセンブリ２００は、第１サイドモールドフレーム２５０及び第２サイドモールドフレーム２６０を更に含む。 前記第１サイドモールドフレーム２５０及び第２サイドモールドフレーム２６０は、前記収納容器２９０と結合して前記ランプユニット２１０の両端を収納するようにする。
【００２８】
また、前記第１サイドモールドフレーム２５０及び第２サイドモールドフレーム２６０の上部面には、拡散板２４０及び光学シート２４３が装着される。 前記第１サイドモールドフレーム２５０及び第２サイドモールドフレーム２６０のうち少なくとも一つは、前記拡散板２４０の流動を防止する拡散板流動防止部２５２と光学シート固定部２５３とを更に含む。
【００２９】
ここで、前記第１サイドモールドフレーム２５０及び第２サイドモールドフレーム２６０は、２０（Ｗ/ｍ＊ｋ）以上の熱伝導率を有するプラスチック（以下、放熱プラスチックと称する）材質からなることができる。前記放熱プラスチックの一例としてクールポリマー（ＣｏｏｌＰｏｌｙｍｅｒ）社で製造されたクールポリ（ＣｏｏｌＰｏｌｙ）という製品を挙げることができる。前記のクールポリは熱伝導性プラスチックであって、１０（Ｗ/ｍ＊ｋ）〜１００（Ｗ/ｍ＊ｋ）範囲の熱伝導率を有することとして知られている。ここで、前記Ｗ、ｍ及びｋはワット（Ｗａｔｔ）、メートル（ｍ）及びケルビン（Ｋ）を示す。
【００３０】
前記ランプユニット２１０から発生した熱は、前記第１サイドモールドフレーム２５０及び第２サイドモールドフレーム２６０に伝達される。放熱プラスチック材質からなる前記第１ロアーモールドフレーム２５０及び第２ロアーモールドフレーム２６０は、伝達された前記熱を、後述する収納容器２９０に伝達する。
【００３１】
拡散板２４０は、ランプユニット２１０から入射された光を拡散出射し、光学シート２４３は、拡散板２４０から入射された光の品質表示を向上させる。光学シート２４３は、拡散板２４０から出射された光を拡散出射する拡散シート、正面輝度を増加させるプリズムシート、特定方向に振動する光は透過させ、残りの光は反射させる反射偏光シートを、必要によって選択的に含んで構成することができる。
【００３２】
ミドルモールドフレーム４００は、収納容器２９０と結合して拡散板２４０及び光学シート２４３の流動を防止する。また、ミドルモールドフレーム４００の上部面には表示パネル１１０が装着される。ミドルモールドフレーム４００の上部面に表示パネル１１０が装着されるとき、その位置をガイドするパネルガイド部材４０１を更に含む。パネルガイド部材４０１は、ゴムのような弾力部材で形成されることが望ましい。パネルガイド部材４０１は、ミドルモールドフレーム４００に一体に形成することもできる。パネルガイド部材４０１は、ミドルモールドフレーム４００の上部面の角領域に形成されることが望ましい。
【００３３】
収納容器２９０は、底面及び側壁で構成された収納空間に表示パネル１１０及びバックライトアセンブリ２００を収納し、金属で構成される。
トップシャーシ５００は、前記収納容器２９０と結合してディスプレイユニット１００及びバックライトアセンブリ２００を指定された位置に固定させる。
【００３４】
［第１再度モールドフレーム］
図２は、図１に示した第１サイドモールドフレームの一部分を拡大した斜視図である。
図２を参照すると、第１サイドモールドフレーム２５０の上部面２５１には拡散板２４０及び光学シート２４３が装着される。ここでは、便宜上光学シート２４３は省略し、拡散板２４０のみが装着されたものを示す。
【００３５】
第１サイドモールドフレーム２５０の上部面２５１には、拡散板固定部２５２及び光学シート固定部２５３が配置される。前記拡散板固定部２５２は、第１サイドモールドフレーム２５０の上部面２５１から突出して形成され、拡散板陥没部２４１と結合して拡散板２４０が流動されることを防止する。光学シート固定部２５２は、拡散板固定部２５１の上部面上に突出して形成され、光学シート２４３に形成された溝と結合して光学シートが流動されることを防止する。ここで、前記光学シート固定部２５２は、前記拡散板固定部２５２の上部面ではない第１サイドモールドフレーム２５０の上部面２５１に形成することもできる。
［収納容器］
図３は、図１に示した収納容器の背面図である。
【００３６】
図３を参照すると、収納容器２９０は金属材質からなっており、底面及び側壁で構成された空間に表示パネル１１０及びバックライトアセンブリ２００を収納する。
前記収納容器２９０の底面には、ランプホルダ２１０と結合するための結合溝２９１及びランプユニット２１０から発生する熱を収納容器２９０の外部に放出するための開口部２９２、２９３が形成されている。前記収納容器２９０とインバータ７００との間にギャップが形成されると、流速の増加による自然滞留によってバックライトアセンブリ２００の内部の熱が更に早く放出される。したがって、開口部２９２、２９３は、インバータ７００に対応する収納容器２９０の底面領域に形成されることが望ましい。また、収納容器２９０の背面にはインバータ７００及びインバータ保護部材８００を固定するための突出部２９４が突出して形成される。
［反射シート］
図４は、図１に示した反射シートの背面図である。
【００３７】
図４を参照すると、ランプユニット２１０と向い合う反射シート２４５の表面には光反射物質が形成されていて、ランプユニット２１０から入射された光を、表示パネル１１０方向に反射させる。また、反射シート２４５には、ランプホルダ２１０が収納容器２９０と結合締結できるように、結合ホール２４５１が形成されている。収納容器２９０に形成された開口部２９２、２９３に対応する反射シート２４５の背面領域には、収納容器２９０の外部に光が漏洩することを防止するための光遮断部材２４５２、２４５３が付着される。
【００３８】
前記光遮断部材２４５２、２４５３は、カーボンを含むポリエステルフィルムやＰＥＴ材質で形成され、光学密度が高くて光がほぼ透過できない。前記光遮断部材２４５２、２４５３の一面には接着剤が形成されており、反射シート２４５の均一性のために厚さが２５μｍ〜１８８μｍであることが望ましい。また、前記光遮断部材２４５２、２４５３の大きさは、収納容器２９０に形成された開口部２９２、２９３よりある程度大きく形成することが望ましい。
［収納容器とインバータとの結合］
図５は、図１に示した収納容器とインバータとの結合状態を示した斜視図である。
【００３９】
図５を参照すると、インバータ７００のランプユニット２１０に駆動信号を印加し、普通ＰＣＢ（Ｐｒｉｎｔｅｄ  ｃｉｒｃｕｉｔ  ｂｏａｒｄ）形態に製作される。収納容器２９０の背面には、インバータ７００を支持してねじ締結のための突出部２９４が形成されている。
【００４０】
前記突出部２９４の上部面にはインバータ７００を締結するためのねじ締結部２９４２及びインバータ７００をガイドするためのガイド突起２９４１が形成されている。インバータ７００は、ねじ締結部２９４２とガイド突起２９４１とにそれぞれ対応するホールを有している。インバータ７００は、収納容器２９０の背面にある突出部２９４の上部面に形成されたガイド突起２９４１とインバータ７００に形成されたホールとを用いて装着される。
［インバータと保護ケースとの結合］
図６は、図１に示したインバータと保護ケースとの間の結合状態を示した斜視図である。
【００４１】
図１、図５及び図６を参照すると、保護部材８００は金属材質からなり、インバータ７００から発生するＥＭＩ（Ｅｌｅｃｔｒｏ  Ｍａｇｎｅｔｉｃ  Ｉｎｔｅｒｆｅｒｅｎｃｅ）を遮蔽する。前記保護ケース８００には、インバータ７００及び収納容器２９０とねじ締結するための第１ねじ溝８１０と第２ねじホーム８２０がそれぞれ形成されている。
【００４２】
収納容器２９０の背面にある突出部２９４の上部面に形成されたガイド突起２９４１を用いてインバータ７００を装着する。その後、ねじ締結部２９４２とインバータ７００に形成されたホールそれぞれに対応する第１ねじ溝８１０及び第２ねじ溝８２０に、第１ねじ８１２及び第２ねじ８２２それぞれを用いて固定する。
［ランプユニットの表面温度の測定例］
図７及び図８は、本発明による開口部及び光遮断部材を適用する前と後のランプユニットの表面温度を測定して示した図面である。特に、図８ではインバータ７００に対応する収納容器２９０の背面領域に開口部２９２、２９３を形成して、光遮断部材２４５２、２４５３で０．０５ｍｍの厚さのＰＥＴを付着した後にランプユニット２１０の表面温度を測定した。
【００４３】
図７に示したように、開口部及び光遮断部材を適用する前にはランプ電極部の一側に近接する領域では７６．２℃、７５．４℃、及び７５．９℃が測定され、ランプ電極部の他側に近接する領域では１１１．８℃、９９．４℃、及び１０６．９℃が測定され、ランプの中央部に対応する領域では８４．５℃、８８．９℃及び８５．４℃が測定された。
【００４４】
しかし、図８に示したように、開口部及び光遮光部材を適用した後にはランプ電極部の一側に近接する領域では７１．５℃、７１．５℃及び７１．７℃が測定され、ランプ電極部の他側に近接する領域では１０１．６℃、９８．８℃、及び１０５．９℃が測定され、ランプの中央部に対応する領域では８０．３℃、８１．２℃及び８５．８℃が測定された。
【００４５】
したがって、本発明による開口部及び光遮断部材を適用することによって、ランプユニット２１０の表面温度は４〜１０℃低下することがわかる。
［効果］
以上で説明したように、本発明によると、収納容器の背面に熱放出のための開口部を形成することで、ランプから発生された熱が液晶表示パネルに及ぼす悪影響を減らして表示品質が低下することを防止することができる。
【００４６】
また、前記開口部に対応する反射シートの背面領域に光遮断部材を付着することで、光がバックライトアセンブリの外部に漏洩することを防止することができる。
また、ランプに電源電圧を印加するインバータに対応する収納容器の背面領域に熱放出のための開口部を形成することによって、滞留効果による放熱効果を増大することができる。
【産業上の利用可能性】
【００４７】
本発明は、液晶表示装置に適用することができる。
【図面の簡単な説明】
【００４８】
【図１】本発明の一実施例による表示装置を示した分解斜視図
【図２】図１に示した第１サイドモールドフレームの一部分を拡大した斜視図
【図３】図１に示した収納容器の背面図
【図４】図１に示した反射シートの背面図
【図５】図１に示した収納容器とインバータの結合状態を示した斜視図
【図６】図１に示したインバータと保護ケースとの間の結合状態を示した斜視図
【図７】本発明による開口部及び光遮断部材を提供する前と後のランプユニットの表面温度を測定して示した図面
【図８】本発明による開口部及び光遮断部材を提供する前と後のランプユニットの表面温度を測定して示した図面
【符号の説明】
【００４９】
１００    ディスプレイユニット
１１０    表示パネル
２００    バックライトアセンブリ
２１０    ランプユニット
２１１    ランプ
２９０    収納容器
２９４    突出部
５００    トップシャーシ
【図１】
2006146119.tif 000003
【図２】
2006146119.tif 000004
【図３】
2006146119.tif 000005
【図４】
2006146119.tif 000006
【図５】
2006146119.tif 000007
【図６】
2006146119.tif 000008
【図７】
2006146119.tif 000009
【図８】
2006146119.tif 000010